(57)【特許請求の範囲】
【請求項１】
メモリカードが挿入される挿入部を形成するハウジングと、
該ハウジングの後部に設けられ、前記メモリカードの挿入方向端部に横架されたコネクタピン保持部と、
該コネクタピン保持部の厚さ方向に貫通され、前記コネクタピン保持部に並設された複数のコネクタピン挿入孔と、
一端が該コネクタピン挿入孔に挿入されるように厚さ方向に延在し、他端が前記一端と直交する前記メモリカードの移動方向に延在するように形成された複数のコネクタピンと、
を備えたメモリカード用コネクタにおいて、
前記コネクタピンは、
前記一端に設けられ、前記コネクタピン挿入孔に圧入される圧入部と、
該圧入部の下端に設けられ、フレキシブル基板に半田付けされ、且つ前記フレキシブル基板を上下方向から保持するように曲げ加工された基板接続部と、
前記他端に設けられ、前記圧入部の下端からほぼ直角に曲げられて水平方向に延在する腕部と、
該腕部の先端より上方に曲げられ、さらに下方に向けて傾斜するように曲げ加工されており、前記ハウジングに挿入された前記メモリカードの端子に接触する接触部と、
を有することを特徴とするメモリカード用コネクタ。
【発明の詳細な説明】
【０００１】
【発明の属する技術分野】
本発明は、メモリカードが挿入されるメモリカード用コネクタに関する。
【０００２】
【従来の技術】
例えば、デジタルカメラで撮像された画像データを記憶する記録媒体、あるいは携帯型音楽再生機で再生される音楽デジタルデータを記憶する記録媒体として、半導体メモリ（ＲＡＭ）が内蔵されたメモリカードの開発が進められている。
この種のメモリカードは、外観が薄板形状に形成されたパッケージの内部に半導体メモリ（ＲＡＭ）が収容されるとともに、パッケージの端部に電気的に接続される複数の端子が並設されている。
【０００３】
また、メモリカードは、種類ごとに決められた寸法、形状に形成されている。そのため、デジタルカメラや携帯型音楽再生機には、使用されるメモリカードの寸法、形状に対応したメモリカード用コネクタを取り付ける必要がある。
【０００４】
従来のメモリカード用コネクタは、メモリカードが挿入される挿入部のカード挿入方向の端部に複数のコネクタピンが並設されている。そして、複数のコネクタピンは、挿入部のコネクタピン保持部に設けられたコネクタピン挿入孔に圧入されて保持される。
【０００５】
【発明が解決しようとする課題】
しかしながら、従来のメモリカード用コネクタでは、複数のコネクタピンがメモリカードの挿入方向に延在するように形成されており、コネクタピン保持部のコネクタピン挿入孔もメモリカードの挿入方向に延在形成されている。そのため、コネクタピン保持部は、面積が比較的大きくなり、より広い設置スペースが必要であった。
【０００６】
従来のコネクタピン保持部は、メモリカードが挿入される挿入部の下側あるいは挿入部の端部に設けられる。そのため、従来のメモリカード用コネクタにおいては、コネクタピン保持部メモリカードが挿入される挿入部の下側に形成された場合、メモリカード用コネクタの厚さ寸法が増大して薄型化を図ることが難しかった。あるいは、従来は、メモリカードが挿入される挿入部の後部に形成された場合、設置面積が大きくなって小型化を図ることが難しいという問題があった。
そこで、本発明は上記課題を解決したメモリカード用コネクタを提供することを目的とする。
【０００７】
【課題を解決するための手段】
上記課題を解決するため、本発明は以下のような特徴を有する。
【０００８】
本発明は、メモリカード（２４）が挿入される挿入部（２２）を形成するハウジング（１２）と、ハウジング（１２）の挿入部の後部に設けられ、メモリカード（２４）の挿入方向端部に横架されたコネクタピン保持部（２０）と、コネクタピン保持部（２０）の厚さ方向に貫通され、コネクタピン保持部（２０）に並設された複数のコネクタピン挿入孔（２０ａ）と、一端がコネクタピン挿入孔（２０ａ）に挿入されるように厚さ方向に延在し、他端が一端と直交するメモリカード（２４）の移動方向に延在するように形成された複数のコネクタピン（４０）と、を備えたメモリカード用コネクタにおいて、コネクタピン（４０）は、前記一端に設けられ、コネクタピン挿入孔（２０ａ）に圧入される圧入部（４０ａ）と、圧入部（４０ａ）の下端に設けられ、フレキシブル基板（５０）に半田付けされ、且つフレキシブル基板（５０）を上下方向から保持するように曲げ加工された基板接続部（４０ｂ）と、前記他端に設けられ、圧入部（４０ａ）の下端からほぼ直角に曲げられて水平方向に延在する腕部（４０ｃ）と、腕部（４０ｃ）の先端より上方に曲げられ、さらに下方に向けて傾斜するように曲げ加工されており、ハウジング（１２）に挿入されたメモリカード（２４）の端子（２８）に接触する接触部（４０ｄ）と、を有するため、コネクタピン保持部（２０）がハウジング（１２）の後部に突出する寸法を小さくして小型化に対応できるとともに、コネクタピン保持部（２０）がハウジング（１２）の下側に位置しないので、薄型化を図ることができる。さらに、コネクタピン（４０）の基板接続部（４０ｂ）がフレキシブル基板（５０）を保持するように曲げ加工されているので、常にコネクタピン（４０）に対するフレキシブル基板（５０）の取付位置を所定位置に位置決めすることが可能になり、フレキシブル基板（５０）に半田付けする際の位置あわせが不要になり、作業性を向上させることができる。
【０００９】
尚、上記（  ）内の参照符号は、理解を容易にするために付したものであり、一例に過ぎず、図示の態様に限定されるものではない。
【００１０】
【発明の実施の形態】
以下、添付図面を参照して本発明の実施の形態を詳細に説明する。
【００１１】
図１は本発明になるメモリカード用コネクタの一実施例を示す図であり、（Ａ）はメモリカード用コネクタの平面図、（Ｂ）はメモリカード用コネクタの側面図（Ｃ）はメモリカード用コネクタの底面図、（Ｄ）はメモリカード用コネクタの背面図である。
【００１２】
図１（Ａ）乃至（Ｄ）に示されるように、メモリカード用コネクタ１１は、ハウジング１２と、ハウジング１２に対向した状態で取り付けられるプレート１４と、ハウジング１２に固定されメモリカードの挿入をガイドするガイドプレート１６と、挿入されたメモリカードをロックするロック機構１８と、ハウジング１２の後部に一体に設けられたコネクタピン保持部２０とを備えてなる。
【００１３】
また、メモリカード用コネクタ１１は、ハウジング１２とプレート１４とにより形成された挿入部２２を有する。そして、挿入部２２に後述するメモリカード２４が挿入されると、メモリカード２４はコネクタピン保持部２０のコネクタピン４０に電気的に接続された状態でロック機構１８によりロックされる。
【００１４】
メモリカード用コネクタ１１においては、この装着状態でメモリカード２４へデータの書き込み、または読み取りが行われる。また、メモリカード２４を取出す際は、メモリカード２４を再度押圧操作することによりロック機構１８による係止が解除されてイジェクトされる。
【００１５】
このようにメモリカード用コネクタ１１では、メモリカード２４が所定の装着位置で装着されたとき、メモリカード２４をロックするロック機構１８が内蔵されているので、メモリカード２４が飛び出すことを防止するためのシャッタ（蓋）を別個に設ける必要がなく、部品点数の削減及び構成の簡略化が図られている。
【００１６】
図２はメモリカード２４の構成を示す図であり、（Ａ）はメモリカード２４の正面図、（Ｂ）はメモリカードの底面図、（Ｃ）はメモリカード２４の左側面図、（Ｄ）はメモリカード２４の右側面図である。
【００１７】
図２（Ａ）乃至（Ｄ）に示されるように、メモリカード２４は、薄板状のケース２４ａの内部に半導体メモリ（図示せず）が収納されており、ケース２４ａの前端には９本のコネクタピン２８が取り付けられている。
【００１８】
また、ケース２４ａの前端右側には、ロック機構１８が係止するための凹部３２が設けられている。
【００１９】
図３はハウジング１２の構成を示す図であり、（Ａ）は平面図、（Ｂ）は側面図、（Ｃ）は背面図である。また、図４はハウジング１２の構成を示す図であり、（Ａ）は正面図、（Ｂ）は底面図である。
【００２０】
図３（Ａ）乃至（Ｃ）、及び図４（Ａ）（Ｂ）に示されるように、ハウジング１２は、合成樹脂材により一体成形されており、メモリカード２４の前端に対向するように挿入部２２の後部に横架されたコネクタピン保持部２０と、メモリカード２４の下面が摺動する底板３４と、メモリカード２４の左側面に対向する左側部３６と、メモリカード２４の右側面に対向する右側部３８とを有する。
【００２１】
コネクタピン保持部２０には、メモリカード２４のコネクタピン２８に接触するようにイジェクト方向（Ｙｂ方向）に延在形成されたコネクタピン４０が圧入されている。また、コネクタピン保持部２０は、メモリカード２４をイジェクト操作したことを検出するためのイジェクト検出スイッチ４２の固定切片４２Ａがコネクタピン４０と並列に設けられている。
【００２２】
さらに、ハウジング１２の底板３４には、メモリカード１２が誤った向きで挿入された場合、メモリカード１２の挿入を阻止する段部４３が突出形成されている。尚、上記コネクタピン４０は、段部４３に櫛歯状に形成された溝部４４内に挿入された状態で保持される。
【００２３】
また、ハウジング１２の左側部３６及び右側部３８の前後方向の両端には、プレート１４の係止部（図示せず）が圧入されるための係止孔４６ａ〜４６ｄが設けられている。また、ハウジング１２の左側部３６及び右側部３８には、ガイドプレート１６を係止するための係止孔４６ｅ，４６ｆが設けられている。従って、プレート１４は、ハウジング１２の底板３４に対向した状態で左側部３６及び右側部３８に係止された状態に組み付けられる。そして、ガイドプレート１６は、左側部３６及び右側部３８に係止された状態に組み付けられる。
【００２４】
また、左側部３６は、ロック機構１８を収容するための凹部４８が設けられており、凹部４８の縁部には後述するロック部材を係止する係止部４８ａが突出している。
【００２５】
さらに、左側部３６ａは、メモリカード２４の挿入操作及びイジェクト操作に伴って後述するロック機構１８のスライダ５４がＹ方向に摺動する摺動面３６ａを有し、左側部３６に形成された段部３６ｂはスライダ５４がイジェクト方向（Ｙｂ方向）に摺動したときに当接してストッパとして機能する。また、左側部３６ａの上面には、後述するロックピン５８の端部が嵌合する嵌合孔３６ｃが設けられている。尚、ロックピン５８は、嵌合孔３６ｃを中心に揺動可能に取り付けられ、スライダ５４を挿入位置でロックし、あるいはイジェクト位置に復帰させる際、スライダ５４のロックを解除するように動作する。
【００２６】
ここで、コネクタピン４０及びコネクタピン保持部２０について説明する。
【００２７】
図５はコネクタピン４０の構成を示す図であり、（Ａ）はコネクタピン４０の平面図、（Ｂ）はコネクタピン４０の側面図、（Ｃ）はコネクタピン４０の背面図である。また、図６はコネクタピン４０をコネクタピン保持部２０に取り付けた状態を示す縦断面図である。
【００２８】
図５（Ａ）乃至（Ｃ）及び図６に示されるように、コネクタピン４０は、コネクタピン保持部２０の上下方向（厚さ方向）に貫通する取付孔（コネクタピン挿入孔）２０ａに圧入される圧入部４０ａと、圧入部４０ａの下端に設けられたＵ字状の基板接続部４０ｂと、圧入部４０ａの下端からほぼ直角に曲げられて水平方向に延在する腕部４０ｃと、腕部４０ｃの先端より上方に曲げられ、さらに下方に向けて傾斜するように曲げ加工された接触部４０ｄと、腕部４０ｃの両側に突出して溝部４４の縁部に当接するストッパ部４０ｅと、を有する。すなわち、コネクタピン４０の一端（圧入部４０ａ）は上下方向に延在して取付孔２０ａに圧入され、他端（腕部４０ｃ）はメモリカード２４のコネクタピン２８に接触するように水平方向に延在している。
【００２９】
圧入部４０ａは、取付孔２０ａに圧入された状態で抜けにくいようにのこ歯状に形成されている。また、基板接続部４０ｂは、フレキシブル配線板５０にはんだ付けされた後、ハウジング１２の底部との間でフレキシブル配線板５０を保持するように小さくカーブ形状に曲げ加工されている。また、腕部４０ｃの両側に突出するストッパ部４０ｅは、溝部４４の内壁の底部に形成された凹部５２に嵌合して接触部４０ｄがメモリカード２４のコネクタピン２８に接触しやすい所定高さ位置を保つように規制している。
【００３０】
このように、コネクタピン保持部２０は、ハウジング１２の背面に横架されるように形成され、且つコネクタピン４０の圧入部４０ａが垂直状態で圧入されるため、後方への突出量が小さく抑えられて小型化に寄与できるとともに、薄型化にも寄与している。そのため、ハウジング１２は、コネクタピン４０の形状をＬ字状に曲げるとともに、コネクタピン保持部２０の取付孔２０ａを上下方向（厚さ方向）に延在形成することにより、メモリカード用コネクタ１１の小型化、薄型化を促進することができ、ひいてはメモリカード用コネクタ１１の軽量化も図ることができる。
【００３１】
ここで、イジェクト検出スイッチ４２の構成について説明する。
【００３２】
イジェクト検出スイッチ４２は、コネクタピン保持部２０に保持された固定切片４２Ａと後述するスライダに保持された可動切片４２Ｂとからなる。
【００３３】
図７はイジェクト検出スイッチ４２の固定切片４２Ａの構成を示す図であり、（Ａ）は固定切片４２Ａの平面図、（Ｂ）は固定切片４２Ａの側面図、（Ｃ）は固定切片４２Ａの背面図である。
【００３４】
図７（Ａ）乃至（Ｃ）に示されるように、固定切片４２Ａは、コネクタピン保持部２０に設けられた取付孔２０ａに圧入される圧入部４２Ａ１と、圧入部４２Ａ１の下端に設けられたＵ字状の基板接続部４２Ａ２と、圧入部４２Ａ１の下端からほぼ直角に曲げられて水平方向に延在する接触部４２Ａ３とを有する。
【００３５】
図８はイジェクト検出スイッチ４２の可動切片４２Ｂの構成を示す図であり、（Ａ）は可動切片４２Ｂの平面図、（Ｂ）は可動切片４２Ｂの側面図である。
【００３６】
図８（Ａ）（Ｂ）に示されるように、可動切片４２Ｂは、後述するスライダに圧入される圧入部４２Ｂ１と、圧入部４２Ｂ１より二股形状に延在する接触部４２Ｂ２，４２Ｂ３とを有する。
【００３７】
可動切片４２Ｂは、後述するようにメモリカード２４がメモリカード用コネクタ１１に装着完了した後、イジェクト操作が行われたとき、固定切片４２Ａに近接して接触部４２Ｂ２，４２Ｂ３がコネクタピン保持部２０に保持された一対の固定切片４２Ａの接触部４２Ａ３に接触してイジェクト検出スイッチ４２を閉成する。そして、イジェクト検出スイッチ４２の検出信号が制御回路（図示せず）に供給されると、制御回路はメモリカード２４がイジェクトされることを認識するとともに、メモリカード２４へのデータの書き込みまたはメモリカード２４からのデータの読み込みを中止する。
【００３８】
図９はプレート１４の構成を示す図であり、（Ａ）はプレート１４の底面図、（Ｂ）はプレート１４の正面図、（Ｃ）はプレート１４の側面図、（Ｄ）はプレート１４のＤ−Ｄ縦断面図である。
【００３９】
図９（Ａ）乃至（Ｄ）に示されるように、プレート１４は、金属板をプレス成形したものであり、ハウジング１２に対向する平板部１４ａと、平板部１４ａの両側より９０度の角度で曲げ加工された側板１４ｂ，１４ｃとを有する。また、平板部１４ａには、メモリカード２４が挿入されたことが見えるように開口１４ａ１が設けられている。
【００４０】
平板部１４ａの下面には、ハウジング１２の係止孔４６ａ〜４６ｄに圧入される係止部１４ｄ〜１４ｇが突出している。また、プレート１４は、ハウジング１２のコネクタピン保持部２０に当接する突起１４ｈ，１４ｉが突出している。尚、プレート１４は、係止部１４ｄ〜１４ｇがハウジング１２の係止孔４６ａ〜４６ｄに圧入されるとともに、突起１４ｈ，１４ｉがコネクタピン保持部２０の背面に当接し、且つ側板１４ｂ，１４ｃがハウジング１２の左側部３６及び右側部３８の外面に当接してハウジング１２と一体的に結合される。
【００４１】
また、側板１４ｂには、右側方に突出するねじ止め用の取付部１４ｍが設けられ、側板１４ｃには、左側方に突出するねじ止め用の取付部１４ｎが設けられている。さらに、平板部１４ａの下面には、ロック機構１８のロック動作を規制する規制部１４ｏが突出している。この規制部１４ｏは、後述するようにメモリカード２４の挿入位置がハーフロック状態のときは、ロック機構１８の解除動作を規制せず、メモリカード２４の挿入位置がフルロック状態のときは、ロック機構１８の解除動作を規制するように作用する。
【００４２】
図１０はガイドプレート１６の構成を示す図であり、（Ａ）はガイドプレート１６の平面図、（Ｂ）はガイドプレート１６の側面図、（Ｃ）はガイドプレート１６の正面図である。
【００４３】
図１０（Ａ）乃至（Ｃ）に示されるように、ガイドプレート１６は、メモリカード２４の挿入をガイドするようにメモリカード用コネクタ１１の挿入部２２の入口に取り付けられる。また、ガイドプレート１６は、メモリカード２４の挿入をガイドする平板部１６ａと、平板部１６ａの左右側面に曲げ加工された側板１６ｂ、１６ｃと、ハウジング１２の左側部３６及び右側部３８に設けられた係止孔４６ｅ，４６ｆに圧入される係止部１６ｄ，１６ｅとを有する。
【００４４】
ここで、上記ロック機構１８の構成について説明する。
【００４５】
図１１はメモリカード２４が挿入される前のメモリカード用コネクタ１１の状態を示す図であり、（Ａ）はメモリカード用コネクタ１１の平面図、（Ｂ）はメモリカード用コネクタ１１の側面図である。
【００４６】
図１１（Ａ）（Ｂ）に示されるように、ロック機構１８は、スライダ５４と、スライダ５４に係止されたロック部材（押圧部材）５６と、スライダ５４に係合するロックピン５８と、ロックピン５８をスライダ５４に押圧する板ばね６０と、スライダ５４をイジェクト方向（Ｙｂ方向）に押圧するコイルばね６２とを有する。
【００４７】
図１２はスライダ５４の構成を示す図であり、（Ａ）はスライダ５４の平面図、（Ｂ）はスライダ５４の左側面図、（Ｃ）はスライダ５４の右側面図、（Ｄ）はスライダ５４の底面図、（Ｅ）はスライダ５４の背面図である。
【００４８】
図１２（Ａ）〜（Ｅ）に示されるように、スライダ５４は、カード挿入（Ｙａ方向）に延在するスライド部５４Ａと、スライド部５４Ａの側面より挿入部２２に突出する突出部５４Ｂを一体成形してなる。また、スライダ５４は、突出部５４Ｂに設けられたロック部材５６の嵌合部５６ａが嵌合する凹部５４ａと、スライド部５４Ａの前端付近に設けられコ字状に形成されたロックピン５８の一端５８ａが嵌合する係合溝５４ｂと、スライド部５４Ａの後端内部に設けられコイルばね６２が挿入されるばね挿入孔５４ｃと、突出部５４Ｂに設けられた可動切片４２Ｂの圧入部４２Ｂ１が圧入される圧入孔５４ｄとを有する。
【００４９】
係合溝５４ｂは、ハート形カム５４ｅの周囲を囲むように形成されている。そして、メモリカード２４の挿入動作に伴なって、ロックピン５８の一端５８ａがハート形カム５４ｅの周囲をなぞるように摺動することにより、ロックピン５８の一端５８ａがハート形カム５４ｅの凹部５４ｆに係止されてロック部材５６をフルロック位置に保持できるとともに、フルロックを解除するときはスライダ５４は、コイルばね６２のばね力によりイジェクト方向（Ｙｂ方向）に摺動してロックピン５８の一端５８ａが係合溝５４ｂを通過して逃げ溝５４ｇに移動し、メモリカード２４を挿入前の位置にイジェクトする。
【００５０】
また、ロックピン５８は、他端５８ｂを軸として揺動できるので、メモリカード２４の挿入時は、一端５８ａがハート形カム５４ｅの凹部５４ｆに係止されてスライダ５４を挿入方向（Ｙａ方向）に移動した位置に係止でき、メモリカード２４のイジェクト時は、一端５８ａがハート形カム５４ｅの外周を通過して逃げ溝５４ｇに嵌合してスライダ５４をイジェクト方向（Ｙｂ方向）に移動させる。
また、スライダ５４は、側面にロック部材５６が外側に変形してロック解除できるように逃げ部５４ｈが設けられている。
【００５１】
図１３はロック部材５６の構成を示す図であり、（Ａ）はロック部材５６の平面図、（Ｂ）はロック部材５６の側面図、（Ｃ）はロック部材５６の背面図である。
【００５２】
図１３（Ａ）乃至（Ｃ）に示されるように、ロック部材５６は、金属製の板ばねを曲げ加工したものであり、スライダ５４の凹部５４ａに嵌合する嵌合部５６ａと、嵌合部５６ａよりイジェクト方向（Ｙｂ方向）に延在する腕部５６ｂと、腕部５６ｂの先端より挿入部２２側に湾曲するカード係止部５６ｃと、カード係止部５６ｃの下方よりさらに先端側に突出する突出部５６ｄと、腕部５６ｂの先端より挿入部２２と反対側に突出するように曲げ加工されたストッパ部５６ｅとを有する。
【００５３】
カード係止部５６ｃは、後述するようにメモリカード２４が挿入部２２に挿入されると、メモリカード２４の端部に当接して外側に変位してメモリカード２４の挿入を許容し、さらにメモリカード２４がＹａ方向に挿入されると凹部３２に嵌合してメモリカード２４を係止する。
【００５４】
また、カード係止部５６ｃは、メモリカード２４が間違った向き（例えば、逆向きで差し込まれた場合）で挿入部２２に挿入された場合には、ロック部材５６は外側に変位できるが、変位したままＹａ方向にスライドした後、プレート１４の規制部１４ｏにストッパ部５６ｅが当接し、それ以上挿入できなくなる。このように、ロック部材５６は、メモリカード２４の誤挿入を防止する機能も併せ持つものであり、メモリカード２４が異なる向きで挿入されることを確実に防止できる。
【００５５】
また、ストッパ部５６ｅは、スライダ５４の摺動位置がフルロック位置になったとき、プレート１４の規制部１４ｏに当接してロック解除方向に変位できないように規制される。
【００５６】
ここで、メモリカード２４の挿入操作を段階的に説明する。
【００５７】
図１４はメモリカード２４の挿入位置を示す図であり、（Ａ）はメモリカード２４の挿入前の状態を示す側断面図、（Ｂ）はメモリカード２４の挿入後のハーフロック状態を示す側断面図、（Ｃ）はメモリカード２４の挿入後のフルロック状態を示す側断面図、（Ｄ）はメモリカード２４が最大押し込み位置に挿入された状態を示す側断面図である。
【００５８】
図１４（Ａ）に示されるように、メモリカード２４がメモリカード用コネクタ１１の挿入部２２に挿入される前はコネクタピン４０の接触部４０ｄが挿入部２２に突出している。
【００５９】
図１４（Ｂ）に示されるように、メモリカード２４がメモリカード用コネクタ１１の挿入部２２に挿入され、ハーフロック位置に達すると、後述するようにロック機構１８のロック部材５６により係止される。このとき、メモリカード２４のコネクタピン２８は、コネクタピン４０の接触部４０ｄに接触していない。また、ロック部材５６はロック解除方向への変位が規制されていないので、メモリカード２４を引き抜く力がイジェクト方向（Ｙｂ方向）に作用すると、ロック部材５６による係止が解除されてメモリカード２４を引き出すことが可能になる。
【００６０】
図１４（Ｃ）に示されるように、メモリカード２４がフルロック位置に挿入されると、メモリカード２４のコネクタピン２８がコネクタピン４０の接触部４０ｄに接触してコネクタピン４０の接触部４０ｄを下方に押し下げる。これにより、メモリカード２４の装着操作が完了してデータの読み書きが可能になる。このとき、ロック部材５６は、プレート１４の規制部１４ｏによりロック解除方向への変位が規制されているので、メモリカード２４を引き出すことが阻止される。
【００６１】
図１４（Ｄ）に示されるように、メモリカード２４をフルロック位置からさらに挿入方向（Ｙａ方向）に押圧操作されて最大押し込み位置に移動させると、メモリカード２４のコネクタピン２８がコネクタピン４０の接触部４０ｄに接触したまま後述するように、イジェクト検出スイッチ４２がオンになってイジェクト検出信号が出力される。
【００６２】
次に、上記のように構成されたロック機構１８の動作についてメモリカード２４の挿入操作とともに図１１及び図１５乃至図１７を併せ参照して説明する。
【００６３】
図１５はメモリカード２４がハーフロック位置に挿入されたメモリカード用コネクタ１１の状態を示す図であり、（Ａ）はメモリカード用コネクタ１１の平面図、（Ｂ）はメモリカード用コネクタ１１の側面図である。図１６はメモリカード２４がフルロック位置に挿入されたメモリカード用コネクタ１１の状態を示す図であり、（Ａ）はメモリカード用コネクタ１１の平面図、（Ｂ）はメモリカード用コネクタ１１の側面図である。図１７はメモリカード２４が最大押し込み位置に挿入されたメモリカード用コネクタ１１の状態を示す図であり、（Ａ）はメモリカード用コネクタ１１の平面図、（Ｂ）はメモリカード用コネクタ１１の側面図である。
▲１▼メモリカード挿入前
図１１（Ａ）（Ｂ）に示されるように、メモリカード２４が挿入される前のメモリカード用コネクタ１１では、スライダ５４がコイルばね６２のばね力によりイジェクト方向に移動してハウジング１２の段部３６ｂに当接しており、ロック部材５６はカード係止部５６ｃを挿入部２２側に突出させ、突出部５６ｄがハウジング１２に設けられた凹部４８の係止部４８ａに係止されている。また、ロックピン５８の一端５８ａは、スライダ５４の逃げ溝５４ｇに嵌合している。
▲２▼メモリカードハーフロック状態
図１５（Ａ）（Ｂ）に示されるように、メモリカード２４はメモリカード用コネクタ１１の挿入部２２に挿入され、ハーフロック位置に至ると、ロック機構１８のロック部材５６により係止される。すなわち、ロック部材５６は、メモリカード２４がハーフロック位置に挿入された時点でカード係止部５６ｃをメモリカード２４の凹部３２に嵌合してメモリカード２４をハーフロックする。
【００６４】
このとき、ロック部材５６は、プレート１４の規制部１４ｏに対向していないので、外側に変位してロック解除することができる。また、ロックピン５８の一端５８ａは、スライダ５４の逃げ溝５４ｇに嵌合しており、メモリカード２４のコネクタピン２８は、コネクタピン４０の接触部４０ｄに接触していない（図１４（Ｂ）参照）。
▲３▼メモリカードフルロック状態
図１６（Ａ）（Ｂ）に示されるように、メモリカード２４がハーフロック位置からさらに挿入方向（Ｙａ方向）に押圧されると、スライダ５４がメモリカード２４とともに挿入方向（Ｙａ方向）に移動する。スライダ５４が挿入方向（Ｙａ方向）に移動すると、ロックピン５８は一端５８ａがスライダ５４に設けられたハートカム５４ｅの凹部５４ｆに係合してスライダ５４を挿入方向（Ｙａ方向）の移動位置に係止する。
【００６５】
これにより、メモリカード２４のコネクタピン２８がコネクタピン４０の接触部４０ｄに接触し、且つロック部材５６のストッパ部５６ｅは、プレート１４の規制部１４ｏに対向する位置に移動する。そのため、ロック部材５６は、ストッパ部５６ｅがプレート１４の規制部１４ｏに当接し、外側に変位できなくなり、ロック状態を保持される。よって、フルロック状態では、メモリカード２４を引き抜こうとしてもロック部材５６のカード係止部５６ｃがメモリカード２４の凹部３２に嵌合してメモリカード２４を確実にロックする。
▲４▼メモリカード最大押し込み状態
図１７（Ａ）（Ｂ）に示されるように、メモリカード２４をフルロック位置からさらに挿入方向（Ｙａ方向）に押圧操作されて最大押し込み位置に移動させると、ロックピン５８の一端５８ａがスライダ５４に設けられたハートカム５４ｅの凹部５４ｆから離間して係合溝５４ｂに移動してスライダ５４のロックを解除する。同時に、メモリカード２４のコネクタピン２８がコネクタピン４０の接触部４０ｄに接触したまま、スライダ５４に設けられた可動切片４２Ｂがコネクタピン保持部２０に取り付けられた固定切片４２Ａに接触する。このように、イジェクト検出スイッチ４２がオンになってイジェクト検出信号が出力される。
【００６６】
これにより、制御回路は、メモリカード２４のイジェクト操作が行われたことを認識するとともに、メモリカード２４へのデータの書き込みまたは読み込みを中止することができる。
【００６７】
また、スライダ５４は、ロックピン５８によるロックを解除されるため、コイルバネ６２のバネ力によりイジェクト方向（Ｙｂ方向）に移動する。このとき、スライダ５４の突出部５２Ｂによりメモリカード２４の端部を押して、メモリカード２４はスライダ５４とともにイジェクト方向（Ｙｂ方向）に移動する。
【００６８】
これで、メモリカード２４のコネクタピン２８は、コネクタピン４０の接触部４０ｄから離間する。また、メモリカード２４は、図１５（Ａ）（Ｂ）に示すハーフロック位置にイジェクトされると、後端部がガイドプレート１６より突出してメモリカード２４を取出すことが可能になる。さらに、ロック部材５６は、プレート１４の規制部１４ｏから離間して対向していないので、規制部１４ｏによる規制が解除され、メモリカード２４の取出し操作によりロックを解除する。
【００６９】
図１８はコネクタピン４０の変形例を示す縦断面図である。
【００７０】
図１８に示されるように、コネクタピン保持部２０の取付孔２０ａに保持されたコネクタピン４０は、基板接続部４０ｂが上記フレキシブル配線板５０ではなくハード基板６６にはんだ付けできるように下方により長く突出するように形成されている。従って、ハウジング１２がハード基板６６上に装着される場合でもコネクタピン４０の基板接続部４０ｂを支障なくはんだ付けすることができる。
【００７１】
尚、上記実施の形態では、図２に示すような形状のメモリカード２４を一例として説明したが、これに限らず、これ以外の形状のメモリカードにも適用できるのは勿論である。
【００７２】
【発明の効果】
以上説明したように、本発明によれば、メモリカードが挿入される挿入部を形成するハウジングと、ハウジングの挿入部の後部に設けられ、メモリカードの挿入方向端部に横架されたコネクタピン保持部と、コネクタピン保持部の厚さ方向に貫通され、前記コネクタピン保持部に並設された複数のコネクタピン挿入孔と、一端がコネクタピン挿入孔に挿入されるように厚さ方向に延在し、他端が一端と直交するメモリカードの移動方向に延在するように形成された複数のコネクタピンと、を備えたメモリカード用コネクタにおいて、コネクタピンは、前記一端に設けられ、コネクタピン挿入孔に圧入される圧入部と、圧入部の下端に設けられ、フレキシブル基板に半田付けされ、且つフレキシブル基板を上下方向から保持するように曲げ加工された基板接続部と、前記他端に設けられ、圧入部の下端からほぼ直角に曲げられて水平方向に延在する腕部と、腕部の先端より上方に曲げられ、さらに下方に向けて傾斜するように曲げ加工されており、ハウジングに挿入されたメモリカードの端子に接触する接触部と、を有するため、コネクタピン保持部がハウジングの後部に突出する寸法を小さくして小型化に対応できるとともに、コネクタピン保持部がハウジングの下側に位置しないので、薄型化を図ることができる。その結果、メモリカード用コネクタの軽量化を促進できる。さらに、コネクタピンの基板接続部がフレキシブル基板を保持するように曲げ加工されているので、常にコネクタピンに対するフレキシブル基板の取付位置を所定位置に位置決めすることが可能になり、フレキシブル基板に半田付けする際の位置あわせが不要になり、作業性を向上させることができる。
【図面の簡単な説明】
【図１】本発明になるメモリカード用コネクタの一実施例を示す図であり、（Ａ）はメモリカード用コネクタの平面図、（Ｂ）はメモリカード用コネクタの側面図（Ｃ）はメモリカード用コネクタの底面図、（Ｄ）はメモリカード用コネクタの背面図である。
【図２】メモリカード２４の構成を示す図であり、（Ａ）はメモリカード２４の正面図、（Ｂ）はメモリカードの底面図、（Ｃ）はメモリカード２４の左側面図、（Ｄ）はメモリカード２４の右側面図である。
【図３】ハウジング１２の構成を示す図であり、（Ａ）は平面図、（Ｂ）は側面図、（Ｃ）は背面図である。
【図４】ハウジング１２の構成を示す図であり、（Ａ）は正面図、（Ｂ）は底面図である。
【図５】コネクタピン４０の構成を示す図であり、（Ａ）はコネクタピン４０の平面図、（Ｂ）はコネクタピン４０の側面図、（Ｃ）はコネクタピン４０の背面図である。
【図６】コネクタピン４０をコネクタピン保持部２０に取り付けた状態を示す縦断面図である。
【図７】イジェクト検出スイッチ４２の固定切片４２Ａの構成を示す図であり、（Ａ）は固定切片４２Ａの平面図、（Ｂ）は固定切片４２Ａの側面図、（Ｃ）は固定切片４２Ａの背面図である。
【図８】イジェクト検出スイッチ４２の可動切片４２Ｂの構成を示す図であり、（Ａ）は可動切片４２Ｂの平面図、（Ｂ）は可動切片４２Ｂの側面図である。
【図９】プレート１４の構成を示す図であり、（Ａ）はプレート１４の底面図、（Ｂ）はプレート１４の正面図、（Ｃ）はプレート１４の側面図、（Ｄ）はプレート１４のＤ−Ｄ縦断面図である。
【図１０】ガイドプレート１６の構成を示す図であり、（Ａ）はガイドプレート１６の平面図、（Ｂ）はガイドプレート１６の側面図、（Ｃ）はガイドプレート１６の正面図である。
【図１１】メモリカード２４が挿入される前のメモリカード用コネクタ１１の状態を示す図であり、（Ａ）はメモリカード用コネクタ１１の平面図、（Ｂ）はメモリカード用コネクタ１１の側面図である。
【図１２】スライダ５４の構成を示す図であり、（Ａ）はスライダ５４の平面図、（Ｂ）はスライダ５４の左側面図、（Ｃ）はスライダ５４の右側面図、（Ｄ）はスライダ５４の底面図、（Ｅ）はスライダ５４の背面図である。
【図１３】ロック部材５６の構成を示す図であり、（Ａ）はロック部材５６の平面図、（Ｂ）はロック部材５６の側面図、（Ｃ）はロック部材５６の背面図である。
【図１４】メモリカード２４の挿入位置を示す図であり、（Ａ）はメモリカード２４の挿入前の状態を示す側断面図、（Ｂ）はメモリカード２４の挿入後のハーフロック状態を示す側断面図、（Ｃ）はメモリカード２４の挿入後のフルロック状態を示す側断面図、（Ｄ）はメモリカード２４が最大押し込み位置に挿入された状態を示す側断面図である。
【図１５】メモリカード２４がハーフロック位置に挿入されたメモリカード用コネクタ１１の状態を示す図であり、（Ａ）はメモリカード用コネクタ１１の平面図、（Ｂ）はメモリカード用コネクタ１１の側面図である。
【図１６】メモリカード２４がフルロック位置に挿入されたメモリカード用コネクタ１１の状態を示す図であり、（Ａ）はメモリカード用コネクタ１１の平面図、（Ｂ）はメモリカード用コネクタ１１の側面図である。
【図１７】メモリカード２４が最大押し込み位置に挿入されたメモリカード用コネクタ１１の状態を示す図であり、（Ａ）はメモリカード用コネクタ１１の平面図、（Ｂ）はメモリカード用コネクタ１１の側面図である。
【図１８】コネクタピン４０の変形例を示す縦断面図である。
【符号の説明】
１１  メモリカード用コネクタ
１２  ハウジング
１４  プレート
１４ｏ  規制部
１６  ガイドプレート
１８  ロック機構
２０  コネクタピン保持部
２２  挿入部
２４  メモリカード
３２  凹部
２８，４０  コネクタピン
４２  イジェクト検出スイッチ
４２Ａ  固定切片
４２Ｂ  可動切片
５０  フレキシブル配線板
５４  スライダ
５６  ロック部材
５６ａ  嵌合部
５６ｂ  腕部
５６ｃ  カード係止部
５６ｄ  突出部
５６ｅ  ストッパ部
５８  ロックピン
６０  板ばね
６２  コイルばね
【図１】
0004714964.tif 000002
【図２】
0004714964.tif 000003
【図３】
0004714964.tif 000004
【図４】
0004714964.tif 000005
【図５】
0004714964.tif 000006
【図６】
0004714964.tif 000007
【図７】
0004714964.tif 000008
【図８】
0004714964.tif 000009
【図９】
0004714964.tif 000010
【図１０】
0004714964.tif 000011
【図１１】
0004714964.tif 000012
【図１２】
0004714964.tif 000013
【図１３】
0004714964.tif 000014
【図１４】
0004714964.tif 000015
【図１５】
0004714964.tif 000016
【図１６】
0004714964.tif 000017
【図１７】
0004714964.tif 000018
【図１８】
0004714964.tif 000019